(57)【特許請求の範囲】
【請求項１】
無鳴動着信及び鳴動着信に対応可能な網制御装置において、
一次側巻線が、ダイヤルパルス送出回路を備えるアナログ回線用インタフェース回路を介してライン端子に接続されたトランスと、
インピーダンス調整回路と、
切り換え手段と、を有するとともに、
前記ダイヤルパルス送出回路は前記一次側巻線に直列に接続されており、前記インピーダンス調整回路は、一端が前記ダイヤルパルス送出回路のライン端子側に接続され、他端が前記切り換え手段を介して前記ダイヤルパルス送出回路の一次側巻線側に接続されており、
前記切り換え手段は、前記インピーダンス調整回路の他端を、ループ未形成時は前記ダイヤルパルス送出回路の一次側巻線側に接続し、ループ形成時は前記ダイヤルパルス送出回路の一次側巻線側から切り離すように切り換え、
前記インピーダンス調整回路のインピーダンスが、ループ未形成時及びループ形成時のインピーダンス条件を満たす値に設定されている
ことを特徴とする網制御装置。
【請求項２】
請求項１に記載された網制御装置において、
前記インピーダンス調整回路はコンデンサからなることを特徴とする網制御装置。
【発明の詳細な説明】
【技術分野】
【０００１】
本発明は、無鳴動着信信号及び着信鳴動信号の受信を行う網制御装置に関する。
【背景技術】
【０００２】
ＮＴＴ（日本電信電話株式会社）のＦ網（ファクシミリ通信網）サービスの無鳴動着信に対応するためには、ループ未形成時（オンフック時）に１３００Ｈｚの無鳴動着信信号を検出する必要があり、かつライン端子（Ｌ１、Ｌ２）から見たインピーダンスが１３００Ｈｚに対して２ｋΩ以上という条件を満たす必要がある。
【０００３】
また、アナログ電話網の鳴動着信に対応するためには、ループ未形成時（着信鳴動信号検出時）に１６Ｈｚ、７５Ｖの着信鳴動信号（リンガ）を検出する必要があり、かつライン端子から見たインピーダンスが２ｋΩ以上、容量成分が３μＦ以下という条件を満たす必要がある。また、ループ形成時（通話時）に、ライン端子から見たインピーダンスが電話網の音声帯域３ｋＨｚに対して略６００Ωという条件を満たす必要がある。
【０００４】
一般にこれらの仕様を実現するため、文献に記載されたものではないが、図５に示すように、通話用トランス１０１とは別に１３００Ｈｚの無鳴動着信信号（トーン）を検出するための専用トランス（以下、トーン検出用トランスと言う）１０２を設け、それらのトランスの一次側（ライン端子側）にリレー１０４を設けたものがある。リレー１０４は、ループ未形成時には破線側に接続され、ループ形成時には実線側に接続される。
【０００５】
この図において、１３００Ｈｚのトーンは、ループ未形成時にライン端子（図示せず）から入力され、直流カット用コンデンサ１０３、トーン検出用トランス１０２の一次側巻線、及びリレー１０４からなる直列回路を流れるとともに、トーン検出用トランス１０２の二次側巻線からトーン検出回路（図示せず）へ送出される。
【０００６】
１６Ｈｚのリンガは、直流カット用コンデンサ１０３及びリレー１０４よりライン端子側に設けられたリンガ検出回路（図示せず）により、ループ未形成時に検出される。
【０００７】
通話時には、リレー１０４が実線側に接続されるため、受話音声は、ライン端子側から入力され、直流カット用コンデンサ１０３、通話用トランス１０１の一次側巻線、及びリレー１０４からなる直列回路を流れるとともに、通話用トランス１０１の二次側巻線からハンドセット（図示せず）へ送出される。
【０００８】
ここで、ループ未形成時のインピーダンスは、直流カット用コンデンサ１０３、トーン検出用トランス１０２の一次側巻線、及び図示されていないリンガ検出回路などのアナログ回線インタフェース回路のインピーダンスの合成インピーダンスとなり、このインピーダンスが前述したループ未形成時の条件（１３００Ｈｚに対して２ｋΩ以上、１６Ｈｚに対して２ｋΩ以上、容量成分が３μＦ以下）を満たすように定められている。
【０００９】
同様に、ループ形成時のインピーダンスは、直流カット用コンデンサ１０３、通話用トランス１０１、及び前述したアナログ回線インタフェース回路のインピーダンスの合成インピーダンスとなり、このインピーダンスが前述したループ形成時の条件（アナログ電話網の音声帯域３ｋＨｚに対して略６００Ω）を満たすように定められている。
【００１０】
しかしながら、図５の構成では２個のトランスを有するため、実装面積が広くなり、かつコストがアップするという問題がある。
【発明の開示】
【発明が解決しようとする課題】
【００１１】
本発明は、このような問題を解決するためになされたものであり、その目的は、無鳴動着信及び鳴動着信の双方への対応を２つのトランスを用いることなく実現することで、実装面積及びコストを低減することである。
【課題を解決するための手段】
【００１２】
本発明は、無鳴動着信及び鳴動着信に対応可能な網制御装置において、一次側巻線が、ダイヤルパルス送出回路を備えるアナログ回線用インタフェース回路を介してライン端子に接続されたトランスと、インピーダンス調整回路と、切り換え手段と、を有するとともに、前記ダイヤルパルス送出回路は前記一次側巻線に直列に接続されており、前記インピーダンス調整回路は、一端が前記ダイヤルパルス送出回路のライン端子側に接続され、他端が前記切り換え手段を介して前記ダイヤルパルス送出回路の一次側巻線側に接続されており、前記切り換え手段は、前記インピーダンス調整回路の他端を、ループ未形成時は前記ダイヤルパルス送出回路の一次側巻線側に接続し、ループ形成時は前記ダイヤルパルス送出回路の一次側巻線側から切り離すように切り換え、前記インピーダンス調整回路のインピーダンスが、ループ未形成時及びループ形成時のインピーダンス条件を満たす値に設定されていることを特徴とする網制御装置である。
【００１３】
［作用］
本発明の網制御装置によれば、ループ未形成時にはインピーダンス調整回路がトランスの一次側巻線に接続されることで、接続されないループ形成時と比べ、インピーダンス調整回路の分、インピーダンスが変化する。従って、インピーダンス調整回路のインピーダンスを、ループ形成時に満たすべき値と、ループ未形成時に満たすべき値との差分値に設定することにより、１つのトランス及び付加回路（インピーダンス調整回路及び切り換え手段）で、ループ未形成時及びループ形成時のインピーダンス条件を満たし、無鳴動着信及び鳴動着信の双方に対応することができる。
【発明の効果】
【００１４】
本発明の網制御装置によれば、無鳴動着信及び鳴動着信の双方への対応を２つのトランスを用いることなく実現することで、実装面積及びコストを低減することができる。
【発明を実施するための最良の形態】
【００１５】
以下、本発明の実施形態について図面を参照しながら説明する。
図１に示すように、本発明の実施形態の網制御装置は、通話用トランス１と、それぞれが通話用トランス１の一側側（ライン端子Ｌ１，Ｌ２側）巻線に直列接続された直流カット用コンデンサ２、ＤＰ（ダイヤルパルス）送出回路３、極性検出回路４を有する。
【００１６】
ライン端子間には保護素子５、直流抵抗保証用素子６、リンガ検出回路７が接続されている。ここで、保護素子５は、直流カット用コンデンサ２、通話用トランス１の一次側巻線、ＤＰ送出回路３、及び極性検出回路４の直列接続回路に対し並列に接続されており、直流抵抗保証用素子６及びリンガ検出回路７は、直流カット用コンデンサ２、通話用トランス１の一次側巻線、及びＤＰ送出回路３の直列接続回路に対し並列に接続されている。
【００１７】
直流カット用コンデンサ２及び通話用トランス１の一次側巻線の直列接続回路に対し、ダイヤルシャント回路８及びリレー９の直列接続回路が並列に接続されている。また、ＤＰ送出回路３に対し、リレー９及びインピーダンス調整回路１０の直列接続回路が並列接続されている。
【００１８】
リレー９は、図示されていないフックスイッチに連動して切り換えられるように、図示されていない制御手段により制御されており、ループ未形成時（オンフック時）には接点ｂ側（実線側）に接続され、ループ形成時（通話時）には接点ａ側（破線側）に切り換えられる。
【００１９】
従って、インピーダンス調整回路１０は、ループ未形成時には、ＤＰ送出回路３に並列に接続されることで、通話用トランス１の一次側巻線に直列接続されるが、ループ形成時には、通話用トランス１の一次側巻線から電気的に切り離された状態となる。また、ダイヤルシャント回路８は、ループ未形成時には、通話用トランス１の一次側巻線から電気的に切り離された状態となり、ループ形成時には、通話用トランス１の一次側巻線及び直流カット用コンデンサ２の直列接続回路に並列接続される。
【００２０】
以上説明した直流カット用コンデンサ２、ＤＰ送出回路３、極性検出回路４、保護素子５、直流抵抗保証用素子６、リンガ検出回路７、及びダイヤルシャント回路８は、一般的なアナログ回線インタフェース回路であり、インピーダンス調整機能に直接的な影響は与えない。
【００２１】
通話用トランス１の二次側には、アンプ２１が接続され、その先にはトーン検出回路（図示せず）が接続される。
【００２２】
以上の構成を有するネットワーク制御回路において、ループ未形成時には、リレー９が接点ｂ側に接続されており、太い実線の矢印で示す無鳴動着信検出用パスが形成される。即ち、ライン端子Ｌ１，Ｌ２から入力される１３００Ｈｚの無鳴動着信信号（トーン）は、直流カット用コンデンサ２、通話用トランス１の一次側巻線、リレー９の接点ｂ、インピーダンス調整回路１０、極性検出回路４の直列回路からなるパスを通る。また、１３００Ｈｚの無鳴動着信信号（トーン）は通話用トランス１の二次側巻線からアンプ２１を通ってトーン検出回路へ送出される。
【００２３】
一方、ループ形成時には、リレー９が接点ａ側に接続されており、太い破線の矢印で示す通話用パスが形成される。即ち、ライン端子Ｌ１，Ｌ２から入力される受話音声は、直流カット用コンデンサ２、通話用トランス１の一次側巻線、ＤＰ送出回路３、極性検出回路４の直列回路からなるパスを通る。また、通話用トランス１の二次側巻線から、アンプ２１を通って図示されていないハンドセットへ送出される。
【００２４】
図１において、通話用パスをライン端子から見たインピーダンスは、通話用トランス１の一次側巻線、直流カット用コンデンサ２、ＤＰ送出回路３、及び極性検出回路４からなる直列接続回路のインピーダンス、ダイヤルシャント回路８のインピーダンス、リンガ検出回路７のインピーダンス、直流抵抗保証用素子６のインピーダンス、及び保護素子５のインピーダンスの合成インピーダンスとなる。従って、この合成インピーダンスが、前述したループ形成時の条件（電話網の音声帯域３ｋＨｚに対して略６００Ω）を満たすように定められている。
【００２５】
また、無鳴動着信検出用パスをライン端子から見たインピーダンスは、通話用トランス１の一次側巻線、直流カット用コンデンサ２、インピーダンス調整回路１０、及び極性検出回路４からなる直列接続回路のインピーダンス、リンガ検出回路７のインピーダンス、直流抵抗保証用素子６のインピーダンス、及び保護素子５のインピーダンスの合成インピーダンスとなる。従って、この合成インピーダンスが、前述したループ未形成時の条件（１３００Ｈｚに対して２ｋΩ以上、１６Ｈｚに対して２ｋΩ以上、容量成分が３μＦ以下）を満たすように定められている。
【００２６】
つまり、ループ未形成時の条件と、ループ形成時の条件との差分に相当するインピーダンスをインピーダンス調整回路１０に持たせることで、双方の条件を満たしている。このインピーダンス調整回路１０は、１６Ｈｚに対して２ｋΩ以上、容量成分が３μＦ以下の条件を満足させるため、コンデンサで構成することが望ましい。
【００２７】
本実施形態の網制御装置においては、インピーダンス調整回路１０の構成を決定する際、前述したループ未形成時の条件を満たすように定めるだけでよく、ループ形成時の特性への影響を考慮する必要はない。そのように定めることで、通話用トランス１で無鳴動着信信号を取り出すことが可能となり、その二次側に接続されたトーン検出回路で検出できるようになる。
【００２８】
図２は、本発明の実施形態の網制御装置に電話機能を実現した構成を示す図である。通話用トランス１の二次側巻線にアンプ２１及び２２を介してハンドセット２３が接続されている。
【００２９】
受話音声は、ライン端子Ｌ１，Ｌ２から入力され、通話用パスを通るとともに、通話用トランス１の二次側のアンプ２１で増幅されて、ハンドセット２３へ送られる。ハンドセット２３から出力された送話音声は、アンプ２２で増幅されて、通話用トランス１の二次側巻線を流れるとともに、通話用トランス１の一次側の通話用パスを通り、ライン端子Ｌ１，Ｌ２から出力される。
【００３０】
図３は、本発明の実施形態の網制御装置にファクシミリ機能を実現した構成を示す図である。通話用トランス１の二次側巻線にアンプ２１及び２２を介してモデム３３及び画像処理回路３４が接続されている。
【００３１】
モデム信号は、ライン端子Ｌ１，Ｌ２から入力され、通話用パスを通るとともに、通話用トランス１の二次側のアンプ２１で増幅され、モデム３３で復調され、画像処理回路３４でプリント用の画像処理を受けて、プリンタへ送られる。スキャナで読み取られた送信画像は、画像処理回路３４でスキャナ用の画像処理を受け、モデム３３で変調され、アンプ２２で増幅されて、通話用トランス１の二次側巻線を流れるとともに、通話用トランス１の一次側の通話用パスを通り、ライン端子Ｌ１，Ｌ２から出力される。
【００３２】
図４は、本発明の実施形態の網制御装置でＩＰ(Internet Protocol)接続機能を実現した構成を示す図である。通話用トランス１の二次側巻線にアンプ２１及び２２を介してコーデック４３及び通信制御部４４が接続されている。
【００３３】
受話音声は、ライン端子Ｌ１，Ｌ２から入力され、通話用パスを通るとともに、通話用トランス１の二次側のアンプ２１で増幅され、コーデック４３で符号化され、通信制御部４４でパケット制御処理及び通信処理を受けて、ＬＡＮ(Local Area Network)へ出力される。ＬＡＮから入力される送話音声は、通信制御部４４でパケット制御処理及び通信処理を受け、コーデック４３で復号化され、アンプ２２で増幅されて、通話用トランス１の二次側巻線を流れるとともに、通話用トランス１の一次側の通話用パスを通り、ライン端子Ｌ１，Ｌ２から出力される。
【図面の簡単な説明】
【００３４】
【図１】本発明の実施形態の網制御装置の回路構成を示す図である。
【図２】本発明の実施形態の網制御装置に電話機能を実現した構成を示す図である。
【図３】本発明の実施形態の網制御装置にファクシミリ機能を実現した構成を示す図である。
【図４】本発明の実施形態の網制御装置でＩＰ接続機能を実現した構成を示す図である。
【図５】従来の網制御装置を示す図である。
【符号の説明】
【００３５】
１・・・通話用トランス、９・・・リレー、１０・・・インピーダンス調整回路。
【図１】
0005077761.tif 000002
【図２】
0005077761.tif 000003
【図３】
0005077761.tif 000004
【図４】
0005077761.tif 000005
【図５】
0005077761.tif 000006